(57)【要約】【課題】熱交換器の洗浄の作業効率を向上させることができる空気調和機の洗浄装置を得る。【解決手段】熱交換器２から落ちるドレン水を受けるドレンパン３と、ドレンパン３に溜められるドレン水を吸い上げるドレンポンプ４とを備えた空気調和機における熱交換器２を洗浄する空気調和機の洗浄装置であって、熱交換器２に洗浄液を当てる散水装置５を備え、散水装置５から熱交換器２に当てられた洗浄液は、ドレンパン３に溜められ、ドレンパン３に溜められた洗浄液は、ドレンポンプ４によって吸い上げられる。【選択図】図１
2020008199.tif 000002
【特許請求の範囲】
【請求項１】
熱交換器から落ちるドレン水を受けるドレンパンと、前記ドレンパンに溜められる前記ドレン水を吸い上げるドレンポンプとを備えた空気調和機における前記熱交換器を洗浄する空気調和機の洗浄装置であって、
前記熱交換器に洗浄液を当てる散水装置を備え、
前記散水装置から前記熱交換器に当てられた前記洗浄液は、前記ドレンパンに溜められる空気調和機の洗浄装置。
【請求項２】
前記熱交換器の幅方向について前記散水装置との間に前記熱交換器が配置され、前記ドレンパンよりも上方に配置される飛散防止壁をさらに備え、
前記散水装置は、前記熱交換器に向かって前記洗浄液を噴出し、
前記飛散防止壁に当たった前記洗浄液は、前記ドレンパンに溜められる請求項１に記載の空気調和機の洗浄装置。
【請求項３】
前記飛散防止壁は、前記散水装置と前記飛散防止壁との間に前記熱交換器が配置される洗浄位置と、前記散水装置と前記飛散防止壁との間に前記熱交換器が配置されない収納位置との間で変位可能となっている請求項２に記載の空気調和機の洗浄装置。
【請求項４】
前記飛散防止壁は、高さ方向に伸縮することによって、前記洗浄位置と前記収納位置との間で変位する請求項３に記載の空気調和機の洗浄装置。
【請求項５】
前記散水装置は、前記熱交換器に向かう風を発生させるファンから構成されており、
前記ファンには、外部から前記洗浄液が供給される洗浄液流路と、前記洗浄液流路を通った前記洗浄液が排出される噴出孔とが形成され、
前記ファンは、前記噴出孔から排出された前記洗浄液を前記熱交換器に当てる請求項２から請求項４までの何れか一項に記載の空気調和機の洗浄装置。
【請求項６】
前記ファンは、前記ファンが回転しながら、前記噴出孔から排出された前記洗浄液を前記熱交換器に当てる請求項５に記載の空気調和機の洗浄装置。
【発明の詳細な説明】
【技術分野】
【０００１】
この発明は、空気調和機の熱交換器を洗浄する空気調和機の洗浄装置に関する。
【背景技術】
【０００２】
従来、熱交換器に向かって洗浄液を噴出する洗浄ノズルと、空気調和機よりも下方に設けられ、熱交換器から落ちる洗浄液を受ける防水カバーとを備えた空気調和機の洗浄装置が知られている（例えば、特許文献１参照）。
【先行技術文献】
【特許文献】
【０００３】
【特許文献１】特開２００６−６４２２７号公報
【発明の概要】
【発明が解決しようとする課題】
【０００４】
しかしながら、熱交換器を洗浄する場合に、空気調和機を分解して、空気調和機からパネル、ドレンパン、ファンを取り外し、その後、防水カバーを空気調和機よりも下方に設置しなければならず、熱交換器の洗浄の作業効率が悪いという問題点があった。
【０００５】
この発明は、上述のような課題を解決するためになされたものであり、その目的は、熱交換器の洗浄の作業効率を向上させることができる空気調和機の洗浄装置を提供するものである。
【課題を解決するための手段】
【０００６】
この発明に係る空気調和機の洗浄装置は、熱交換器から落ちるドレン水を受けるドレンパンと、ドレンパンに溜められるドレン水を吸い上げるドレンポンプとを備えた空気調和機における熱交換器を洗浄する空気調和機の洗浄装置であって、熱交換器に洗浄液を当てる散水装置を備え、散水装置から熱交換器に当てられた洗浄液は、ドレンパンに溜められる。
【発明の効果】
【０００７】
この発明に係る空気調和機の洗浄装置によれば、熱交換器に洗浄液を当てる散水装置を備え、散水装置から熱交換器に当てられた洗浄液は、ドレンパンに溜められる。これにより、空気調和機を分解することなく、熱交換器を洗浄することができる。その結果、熱交換器の洗浄の作業効率を向上させることができる。
【図面の簡単な説明】
【０００８】
【図１】この発明の実施の形態１に係る空気調和機の要部を示す側面図である。
【図２】図１の空気調和機を示す平面図である。
【図３】図１の空気調和機を示すブロック図である。
【図４】この発明の実施の形態２に係る空気調和機の洗浄装置の要部を示す構成図である。
【図５】図４の飛散防止壁が変形した状態を示す図である。
【図６】図４の空気調和機を示すブロック図である。
【図７】この発明の実施の形態３に係る空気調和機の洗浄装置の要部を示す構成図である。
【発明を実施するための形態】
【０００９】
実施の形態１．
図１は、この発明の実施の形態１に係る空気調和機の要部を示す側面図、図２は、図１の空気調和機を示す平面図、図３は、図１の空気調和機を示すブロック図である。この発明の実施の形態１に係る空気調和機は、天井埋込型の空気調和機となっている。また、この空気調和機は、４方向型の空気調和機となっている。したがって、この空気調和機は、４方向に向かう風を送り出す。
【００１０】
空気調和機は、回転することによって風を発生させるファン１と、ファン１によって発生した風が向かう熱交換器２と、熱交換器２に発生するドレン水を受けるドレンパン３と、ドレンパン３に溜められたドレン水を吸い上げるドレンポンプ４とを備えている。
【００１１】
ファン１によって発生した風は、ファン１から径方向外側に向かって流れて、熱交換器２に当たる。空気調和機の運転が冷房運転である場合に、熱交換器２に風が当たることによって、熱交換器２の表面にドレン水が発生する。
【００１２】
ドレンパン３は、熱交換器２よりも下方に配置されている。熱交換器２の表面に発生したドレン水は、熱交換器２から落下して、ドレンパン３に受けられる。ドレンパン３に受けられたドレン水は、ドレンパン３に溜められる。
【００１３】
熱交換器２は、上方から視た場合にロ字形状となるように形成されている。ドレンパン３は、熱交換器２の形状に対応して、上方から視た場合にロ字形状となるように形成されている。
【００１４】
この例では、空気調和機は、１個のドレンポンプ４を備えている。ドレンパン３は、ドレンパンの底面が水平面に対して傾斜するように配置されている。ドレンポンプ４は、ドレンパン３の底面における最も低い位置に溜められたドレン水を吸い上げるように、配置されている。
【００１５】
また、空気調和機は、熱交換器２よりも上方に設けられる散水装置５をさらに備えている。散水装置５は、熱交換器２に洗浄液を当てる。散水装置５から落下した洗浄液が熱交換器２に当たる。この例では、洗浄液として水が用いられる。洗浄液として用いられる水としては、空気調和機が加湿装置として利用される場合に外部から供給される水が利用されてもよい。なお、洗浄液は、水に限らず、その他の洗浄液であってもよい。また、空気調和機は、洗浄液が溜められるタンクをさらに備えてもよい。
【００１６】
また、空気調和機は、散水装置５の駆動を制御する散水制御装置６と、ドレンポンプ４の駆動を制御するポンプ制御装置７と、空気調和機の運転を制御する制御装置本体８とを備えている。空気調和機の洗浄装置は、ドレンパン３、散水装置５、散水制御装置６、ドレンポンプ４、ポンプ制御装置７および制御装置本体８から構成されている。
【００１７】
空気調和機の冷房運転が停止される場合に、散水制御装置６は、散水装置５を駆動させて、熱交換器２の洗浄を行う。なお、空気調和機の冷房運転が停止された場合に限らず、例えば、夜間における予め設定された時間であって、空気調和機の運転が停止されている場合に、散水制御装置６は、散水装置５を駆動させて、熱交換器２の洗浄を行ってもよい。
【００１８】
ポンプ制御装置７は、空気調和機の運転が冷房運転の場合と、散水制御装置６が散水装置５を駆動させて熱交換器２の洗浄を行う場合とにおいて、ドレンポンプ４を駆動させる。ドレンポンプ４によって吸い上げられたドレン水または洗浄液は、図示しない外部配管を通って、外部に排出される。
【００１９】
次に、空気調和機の洗浄運転について説明する。空気調和機が洗浄運転を開始すると、散水装置５から熱交換器２に洗浄液が当てられる。熱交換器２に当てられた洗浄液は、熱交換器２に付着した異物とともに、ドレンパン３に落下する。ドレンパン３に落下した洗浄液および異物は、ドレンパン３に溜められる。ドレンパン３に溜められた洗浄液および異物は、ドレンポンプ４によって吸い上げられる。これにより、熱交換器２が洗浄される。
【００２０】
散水装置５から熱交換器２への洗浄液の供給が予め設定された時間だけ行われ、その後、散水装置５から熱交換器２への洗浄液の供給が停止される。その後、予め設定された時間が経過した後に、ドレンポンプ４の駆動が停止される。以上により、空気調和機の洗浄運転が終了する。
【００２１】
以上説明したように、この発明の実施の形態１に係る空気調和機の洗浄装置によれば、熱交換器２に洗浄液を当てる散水装置５を備えている。散水装置５から熱交換器２に当てられた洗浄液は、ドレンパン３に溜められる。これにより、空気調和機を分解することなく、熱交換器２を洗浄することができる。その結果、熱交換器２の洗浄の作業効率を向上させることができる。また、ドレンパン３を流用して、熱交換器２の洗浄に用いられた洗浄液が溜められる。これにより、空気調和機の構成を簡単にすることができる。
【００２２】
なお、上記実施の形態１では、散水装置５から熱交換器２に洗浄液が当てられる構成について説明した。これに加えて、散水装置５における洗浄液の水圧を上げるポンプ装置をさらに備えた構成であってもよい。この場合、散水装置５から洗浄液が噴出され、噴出された洗浄液が熱交換器２に当たられる。これにより、熱交換器２の洗浄効率を向上させることができる。また、散水装置５における洗浄液の温度を上げる加熱装置をさらに備えた構成であってもよい。これにより、加熱された洗浄液が熱交換器２に当たられる。その結果、熱交換器２の洗浄効率を向上させることができる。
【００２３】
実施の形態２．
図４は、この発明の実施の形態２に係る空気調和機の洗浄装置の要部を示す構成図である。空気調和機は、飛散防止壁９をさらに備えている。飛散防止壁９は、熱交換器２の幅方向について散水装置５と飛散防止壁９の間に熱交換器２が配置されように設けられる。また、飛散防止壁９は、ドレンパン３よりも上方に配置される。
【００２４】
散水装置５は、熱交換器２よりもファン１の近くに配置される。飛散防止壁９は、熱交換器２よりもファン１から離れて配置される。なお、散水装置５は、熱交換器２よりもファン１から離れて配置されてもよい。この場合、飛散防止壁９は、熱交換器２よりもファン１の近くに配置される。
【００２５】
散水装置５は、熱交換器２に向かって洗浄液を噴出する。熱交換器２に当たった洗浄液は、熱交換器２から落下して、ドレンパン３に溜められる。熱交換器２を通過した洗浄液は、飛散防止壁９に当たる。飛散防止壁９に当たった洗浄液は、飛散防止壁９から落下して、ドレンパン３に溜められる。
【００２６】
図５は、図４の飛散防止壁９が変形した状態を示す図である。また、飛散防止壁９は、高さ方向Ａに収縮可能となっている。飛散防止壁９の構造としては、蛇腹構造、ブラインド構造などが挙げられる。
【００２７】
飛散防止壁９は、散水装置５と飛散防止壁９との間に熱交換器２が配置される洗浄位置と、散水装置５と飛散防止壁９との間に熱交換器２が配置されない収納位置との間で変位可能となっている。飛散防止壁９は、高さ方向に伸縮することによって、洗浄位置と収納位置との間で変位する。
【００２８】
散水装置５は、熱交換器２の奥行方向について移動可能となっている。散水装置５が熱交換器２の奥行方向について移動することによって、散水装置５は、熱交換器２の全領域に渡って洗浄液を当てることができる。また、散水装置５からの洗浄液の噴出が停止される場合、つまり、空気調和機が洗浄運転を行わない場合には、散水装置５は、ロ字形状に形成された熱交換器２における角部に隣り合うように配置される。これにより、空気調和機が例えば冷房運転を行う場合に、ファン１から熱交換器２に向かう風を散水装置５が遮ることを低減させることができる。
【００２９】
図６は、図４の空気調和機を示すブロック図である。空気調和機は、飛散防止壁９を洗浄位置と収納位置との間で変位させる壁変位装置１０と、壁変位装置１０の駆動を制御する壁変位制御装置１１と、散水装置５を変位させる散水変位装置１２と、散水変位装置１２の駆動を制御する散水変位制御装置１３とをさらに備えている。壁変位制御装置１１は、散水制御装置６が散水装置５を駆動させて熱交換器２の洗浄を行う場合において、壁変位装置１０を駆動させて飛散防止壁９を収納位置から洗浄位置に変位させる。散水変位制御装置１３は、散水装置５から熱交換器２に向かって洗浄液が噴出される場合において、散水変位装置１２を駆動させて散水装置５を変位させる。
【００３０】
空気調和機の洗浄装置は、ドレンパン３、散水装置５、散水制御装置６、ドレンポンプ４、ポンプ制御装置７、制御装置本体８、飛散防止壁９、壁変位装置１０、壁変位制御装置１１、散水変位装置１２および散水変位制御装置１３から構成されている。その他の構成は、実施の形態１と同様である。
【００３１】
次に、空気調和機の洗浄運転について説明する。空気調和機が洗浄運転を開始すると、飛散防止壁９が収納位置から洗浄位置に変位する。その後、散水装置５が熱交換器２の奥行方向に移動しながら、散水装置５から熱交換器２に向かって洗浄液が噴出される。熱交換器２に向かって噴出された洗浄液の一部は、熱交換器２に当たる。熱交換器２に当たった洗浄液は、熱交換器２に付着した異物とともに、ドレンパン３に落下する。
【００３２】
熱交換器２に向かって噴出された洗浄液の一部は、熱交換器２に当たらずに飛散防止壁９に当たる。飛散防止壁９に当たった洗浄液は、ドレンパン３に落下する。
【００３３】
ドレンパン３に落下した洗浄液および異物は、ドレンパン３に溜められる。ドレンパン３に溜められた洗浄液および異物は、ドレンポンプ４によって吸い上げられる。これにより、熱交換器２が洗浄される。
【００３４】
散水装置５から熱交換器２への洗浄液の供給が予め設定された時間だけ行われた後、散水装置５から熱交換器２への洗浄液の供給が停止される。その後、飛散防止壁９が洗浄位置から収納位置に変位し、散水装置５が熱交換器２の角部に隣り合う位置に配置される。その後、洗浄液の供給が停止された時から予め設定された時間が経過した後に、ドレンポンプ４の駆動が停止される。以上により、空気調和機の洗浄運転が終了する。
【００３５】
以上説明したように、この発明の実施の形態２に係る空気調和機の洗浄装置によれば、熱交換器２の幅方向について散水装置５との間に熱交換器２が配置され、ドレンパン３よりも上方に配置される飛散防止壁９を備えている。散水装置５は、飛散防止壁９に向かって洗浄液を噴出する。飛散防止壁９に当たった洗浄液は、ドレンパン３に溜められる。これにより、散水装置５から噴出された洗浄液をより確実に外部に排出することができる。
【００３６】
また、飛散防止壁９は、散水装置５と飛散防止壁９との間に熱交換器２が配置される洗浄位置と、散水装置５と飛散防止壁９との間に熱交換器２が配置されない収納位置との間で変位可能となっている。これにより、熱交換器２の洗浄を行わない場合に、ファン１によって発生する風が、飛散防止壁９に当たることを防止することができる。
【００３７】
また、飛散防止壁９は、高さ方向に伸縮することによって、洗浄位置と収納位置との間で変位する。これにより、簡単な構成で、飛散防止壁９を洗浄位置と収納位置との間で変位させることができる。
【００３８】
なお、上記実施の形態２では、飛散防止壁９が高さ方向に伸縮することによって洗浄位置と収納位置との間で変位する構成について説明した。しかしながら、これに限らず、例えば、飛散防止壁９が空気調和機の筐体に対して着脱可能な構成であってもよい。この場合、空気調和機の洗浄運転が行われる場合に、作業者が飛散防止壁９を空気調和機に設置する。
【００３９】
また、上記実施の形態２では、散水装置５が散水変位装置１２によって変位する構成について説明した。しかしながら、これに限らず、例えば、作業者が散水装置５を変位させる構成であってもよい。
【００４０】
実施の形態３．
図７は、この発明の実施の形態３に係る空気調和機の洗浄装置の要部を示す構成図である。散水装置は、熱交換器２に向かう風を発生させるファン１から構成されている。ファン１には、外部から洗浄液が供給される図示しない洗浄液流路と、洗浄液流路を通った洗浄液が排出される図示しない噴出孔とが形成されている。
【００４１】
ファン１の噴出孔から排出された洗浄液は、熱交換器２に当たる。洗浄液流路への洗浄液の供給は、作業者が行う場合と、洗浄液が溜められたタンクから行われる場合とがある。洗浄液が溜められたタンクから洗浄液流路に洗浄液が供給される場合には、空気調和機は、洗浄液が溜められるタンクと、タンクに溜められた洗浄液がファン１に向かって流れる洗浄液管とをさらに備える。
【００４２】
ファン１が回転しながら、ファン１の噴出孔から洗浄液が排出される。空気調和機の洗浄装置は、ファン１、ドレンパン３、ドレンポンプ４、ポンプ制御装置７、制御装置本体８、飛散防止壁９、壁変位装置１０および壁変位制御装置１１から構成されている。その他の構成は、実施の形態２と同様である。
【００４３】
次に、空気調和機の洗浄運転について説明する。空気調和機が洗浄運転を開始すると、飛散防止壁９が収納位置から洗浄位置に変位する。その後、ファン１に洗浄液が供給される。
【００４４】
ファン１に洗浄液が供給されると、ファン１は回転する。これにより、ファン１の噴出孔から洗浄液が排出される。ファン１の噴出孔から排出された洗浄液は、熱交換器２に向かう。熱交換器２に向かう洗浄液の一部は、熱交換器２に当たる。熱交換器２に当たった洗浄液は、熱交換器２に付着した異物とともに、ドレンパン３に落下する。
【００４５】
熱交換器２に向かう洗浄液の一部は、熱交換器２に当たらずに飛散防止壁９に当たる。飛散防止壁９に当たった洗浄液は、ドレンパン３に落下する。
【００４６】
ドレンパン３に落下した洗浄液および異物は、ドレンパン３に溜められる。ドレンパン３に溜められた洗浄液および異物は、ドレンポンプ４によって吸い上げられる。これにより、熱交換器２が洗浄される。
【００４７】
ファン１から熱交換器２への洗浄液の供給が予め設定された時間だけ行われた後、ファン１への洗浄液の供給が停止される。その後、飛散防止壁９が洗浄位置から収納位置に変位する。その後、ファン１への洗浄液の供給が停止された時から予め設定された時間が経過した後に、ドレンポンプ４の駆動が停止される。以上により、空気調和機の洗浄運転が終了する。
【００４８】
以上説明したように、この発明の実施の形態３に係る空気調和機の洗浄装置によれば、散水装置は、熱交換器２に向かう風を発生させるファン１から構成されている。ファン１には、外部から洗浄液が供給される洗浄液流路と、洗浄液流路を通った洗浄液が排出される噴出孔とが形成されている。ファン１は、噴出孔から排出された洗浄液を熱交換器２に当てる。これにより、ファン１と散水装置とを共用することができる。その結果、空気調和機の構成を簡単にすることができる。
【００４９】
また、ファン１は、ファン１が回転しながら、噴出孔から排出された洗浄液を熱交換器２に当てる。これにより、容易に熱交換器２の全体に洗浄液を当てることができる。
【符号の説明】
【００５０】
１  ファン、２  熱交換器、３  ドレンパン、４  ドレンポンプ、５  散水装置、６  散水制御装置、７  ポンプ制御装置、８  制御装置本体、９  飛散防止壁、１０  壁変位装置、１１  壁変位制御装置、１２  散水変位装置、１３  散水変位制御装置。
【図１】
2020008199.tif 000003
【図２】
2020008199.tif 000004
【図３】
2020008199.tif 000005
【図４】
2020008199.tif 000006
【図５】
2020008199.tif 000007
【図６】
2020008199.tif 000008
【図７】
2020008199.tif 000009